(57)【特許請求の範囲】
【請求項１】
高周波発振器、
前記高周波発振器の出力信号と外部から入力される高周波信号とを比較する位相比較器を含み所定の周波数の信号を出力する位相同期ループ、
互いに異なる周波数の信号を出力する複数の前記位相同期ループから出力された前記信号を混合し、その和周波数あるいは差周波数の信号を出力するミクサ、
増幅動作レベルがＡ級動作に設定され前記ミクサの出力信号を増幅する増幅素子、
前記増幅素子の前記出力信号の周波数をカウントするとともに、動作電源電圧を調整する調整抵抗器を有し、前記増幅素子の出力信号レベルに合わせて動作電源電圧を調整した周波数カウンタを備えたことを特徴とする周波数シンセサイザ。
【請求項２】
前記周波数カウンタの後段に接続され、この周波数カウンタの出力信号レベルに合わせて電源電圧を低く設定した位相周波数比較器を備えたことを特徴とする請求項１に記載の周波数シンセサイザ。
【請求項３】
請求項１または２に記載の周波数シンセサイザを局部発振器として備えたことを特徴とする周波数コンバータ。
【請求項４】
それぞれに局部発振回路を有する複数の周波数変換回路、
前記複数の周波数変換回路の少なくとも一つに設けられた複数の周波数シンセサイザとこの複数の周波数シンセサイザのいずれか一つの出力信号を選択する高周波スイッチ、
前記複数の周波数変換回路でそれぞれ用いる複数の周波数間のスプリアスの発生状況に応じて前記高周波スイッチを切り替えるスイッチ切り替え回路を備えたことを特徴とする請求項３に記載の周波数コンバータ。
【請求項５】
それぞれに局部発振回路を有する複数の周波数変換回路、
前記複数の局部発振回路の少なくとも一つは出力周波数を連続的に変更可能な可変周波数シンセサイザを備え、
前記複数の周波数変換回路でそれぞれ用いる複数の周波数間のスプリアスの発生状況に応じて前記可変周波数シンセサイザの前記出力周波数を変更することを特徴とする請求項３に記載の周波数コンバータ。
【発明の詳細な説明】
【０００１】
【発明の属する技術分野】
この発明は、高周波の周波数変換、例えばマイクロ波帯で中間（ＩＦ）周波数と無線（ＲＦ）周波数との周波数変換を行う周波数コンバータとこれに用いる周波数シンセサイザに関するものである。
【０００２】
【従来の技術】
図７は例えば、１９９９年電子情報通信学会総合大会のＣ-２-２０に記載された、従来の複数の位相同期（以下ＰＬＬという）ループを用いた多重ループ方式の周波数シンセサイザの構成例である。
図において１は第１のＰＬＬループで以下のものを含む。即ち、２は第１のＰＬＬループ内に設けられた第１の電圧制御発振器（ＶＣＯ１）、３はＶＣＯ１の出力から信号を分離する第１の電力分配器である。４は第１の電力分配器４の出力をカウントする第１の周波数カウンタ（ＦＤ１）、５はミクサ、６は第二の周波数カウンタ（ＦＤ２）、７は位相周波数比較器（ＰＤ１）、８は第１のループフィルタ（ＬＦ１）、７０はレベル変換回路（増幅回路）である。なおレベル変換回路７０は図示の位置のみに使用されるものではなくレベルを変更する必要のある位置に随時使用されるが、ここでは説明の都合上１カ所のみに示している。
【０００３】
９は第２のＰＬＬループで以下のものを含む。即ち、１０は第２の電圧制御発振器（ＶＣＯ２）、１１は第２の電力分配器、１２は可変周波数カウンタ（ＶＦＤ１）、１３は第２の位相周波数比較器（ＰＤ２）、１４は基準周波数カウンタ、１５は第２のループフィルタ（ＬＦ２）、１６は第３の周波数カウンタ（ＦＤ３）である。
１７は第３のＰＬＬループで以下を含む。即ち、１８は第３の電圧制御発振器（ＶＣＯ３）、１９は第３の電力分配器、２０は第四の周波数カウンタ（ＦＤ４）、２１は第３の位相周波数比較器（ＰＤ３）、２２は第３のループフィルタ（ＬＦ３）である。第２、第３のＰＬＬループ９、１７にもレベル変換回路は使用されるがここでは説明の都合上省略している。
【０００４】
次に動作について説明する。まず、図７に示す第１のＰＬＬループ１においては、第１の電圧制御発振器２の出力信号は第１の周波数カウンタ４により周波数分周されミクサ５に入力される。ミクサ５には第３のＰＬＬループ１７の出力信号と、第１の周波数カウンタ４の出力信号が入力され、これら２つの信号の周波数の和あるいは差の周波数の信号が、所望周波数として第２の周波数カウンタ６に入力される。第２の周波数カウンタ６の出力は第１の位相周波数比較器７に入力され、ここで、第２のＰＬＬループ９からの入力信号と第２の周波数カウンタ６の信号が、位相周波数比較器７で位相比較され誤差電圧が出力される。誤差電圧をループフィルタ８を介して第１の電圧制御発振器１にフィードバックすることにより、第１のＰＬＬループが閉ループとなる。また、このような多重ループ方式の周波数シンセサイザの出力は第１のＰＬＬループの出力であり、周波数コンバータのミクサの局部発振波として用いられる。
【０００５】
一方、第２のＰＬＬループ９は、第２の電圧制御発振器１０の出力信号を電力分配器１１によって分配し、これを可変周波数カウンタ１２で分周した後、第２の位相周波数比較器１３に入力する。この周波数と、水晶発振器などの高安定な基準信号源の出力周波数（図ではＲＥＦと記載）を基準信号周波数カウンタ１４で分周した周波数の信号と第２の位相周波数比較器１３で位相比較することにより、第２のＰＬＬループ９は閉ループとなるとともに、可変分周器１２の分周数Ｎ５を変化させることにより、電圧制御発振器１０の出力信号の周波数を切りかえることが可能となる。さらに第２の電圧制御発振器１０の出力信号は周波数カウンタ１５により分周され、第１のＰＬＬループ１へ入力される。
【０００６】
さらに、第３のＰＬＬループ１７においては、第３の電圧制御発振器１８の出力信号を電力分配器１９によって取りだし、これを周波数カウンタ２０で分周した後、第３の位相周波数比較器２１に入力する。この信号と、前述した水晶発振器などの高安定な基準信号源（ＲＥＦ）からの出力信号とを第３の位相周波数比較器２１で位相比較することにより、第３のＰＬＬループは閉ループとなる。さらに第３の電圧制御発振器１８の出力信号は第１のＰＬＬループ１のミクサ５へ入力される。
上記のことから、図７に示す周波数シンセサイザにおいては、第２のＰＬＬループ９の可変周波数カウンタ１２の分周数Ｎ５を切り替えることにより、最終的には第１のＰＬＬの出力信号の周波数を切りかえることが可能である。
かくして、第１のＰＬＬループ１の出力周波ｆｌｏｏｐ１と第２、第３のＰＬＬループの出力周波数ｆｌｏｏｐ２，ｆｌｏｏｐ３の間には次式の関係を得ることができる。
【０００７】
【数１】
0003577295.tif 000002
【０００８】
ここでＮ１，Ｎ２，Ｎ３はそれぞれ図７中に記載の通り、第１の周波数カウンタ４、第２の周波数カウンタ６、第３の周波数カウンタ１６の分周比である。
このような構成の多重ループ方式の周波数シンセサイザは、その内部回路に前述のような周波数変換を用いているため、周波数切り替えを行う第２のループ９から、局部発振波として用いられる第１のループ１までの逓倍数を小さくでき、低位相雑音かつ狭チャネル間隔の周波数シンセサイザを実現しやすいため、主として衛星通信用地球局の周波数コンバータの局部発振器として広く用いられている。なお、局部発振器の高周波数化のため、第１のループ１の出力にさらに逓倍器が設けられる場合もある。
しかし、ＶＣＯ１，２，３の３つの局部発振器と基準のＲＥＦ及びそれらの分周周波数、差、和周波数からなる多数の周波数の信号を回路内で取り扱うため、それらの信号の干渉により多くの周波数でスプリアスが生じる可能性が大きいという課題があった。
【０００９】
例えば、第２の電圧制御発振器１０の出力信号の周波数の整数倍が、第１の電圧制御発振器の出力信号の周波数の近傍となる場合や、ミクサ５の出力信号の周波数の整数倍が、基準信号周波数の近傍となる場合などに、局部発振波の周波数の近傍にスプリアスを生じるなどの問題がある。この問題についての理解を助けるため第１のループ１の内部を示す図８を用いて説明する。図８に示すようにミクサ５の出力信号を周波数カウンタ６あるいは、位相比較器７が動作するために必要な入力レベルまで増幅する手段としてレベル変換回路７０が使用される。レベル変換回路７０は、Ｃ−ＭＯＳのインバータ回路２５及び抵抗２３、２４を用いた増幅回路により増幅した場合、その出力信号の波形は図９に示すような矩形波となり（従来、パルス波形の増幅には、波形を整形できるという意味で、いわゆるＢ級又はＣ級動作する増幅回路が用いられた。Ｂ級、Ｃ級動作については、図１１を用いて実施の形態の記載のなかで詳細に説明する）、その出力スペクトルには多くの高調波が含まれることになる。この波形の信号と、他のＰＬＬループで用いられている信号の周波数が近接した場合、周波数シンセサイザの出力周波数近傍にスプリアスを生ずることとなる。
【００１０】
以上に説明した従来の周波数シンセサイザを用いて構成した従来の周波数コンバータの構成を図１０に示す。図１０において３８は第１のＩＦ帯増幅器、３９はローパスフィルタ、４０は第１のミクサ、４１は第１の局部発振器、４２は第１のバンドパスフィルタ、４３は第二のＩＦ帯増幅器、４４は第二のミクサ、４５は第二の局部発振器、４６は第二のバンドパスフィルタ、４７はＲＦ帯の増幅器である。ここで第１の局部発振器４１と第２の局部発振器４５の少なくともいずれか一方に図７で説明した多重ループ方式の周波数シンセサイザが使用されている。なお、ここではＩＦをＲＦに変換する場合を示したが、勿論、これに限らず逆にＲＦをＩＦに変換するものでも同様の効果が得られる。
【００１１】
図１０に示すような多重ループ方式の周波数シンセサイザを用いた周波数コンバータにおいては、前述のような複数のループ間の信号の干渉によるスプリアスの発生は、場合によっては不可避である。勿論、周波数シンセサイザのすべてのチャネルのうち、このようなスプリアスの発生するチャネルを使用しなければ、全帯域にわたって、周波数コンバータ全体としてはスプリアスの発生のないものにすることができるが、そのようにすることにより制約が多くて使いにくいものとなってしまうので、実際的ではない。
【００１２】
【発明が解決しようとする課題】
以上に説明した従来の多重ループ方式の周波数シンセサイザ、あるいはこれを用いた周波数コンバータにおいては、内部で多くの周波数の信号を用いているために、ループ間の周波数の干渉によるスプリアスが、必要とする周波数の近傍に発生しやすいという問題があった。
また、この傾向は回路内に用いられるレベル変換回路によって波形が矩形波に整形されて高調波成分が増大されることに起因することが多かった。
【００１３】
この発明は、かかる問題点を解決するためになされたもので、狭チャネル間隔かつ低位相雑音の低スプリアス化された周波数シンセサイザ、及びこのシンセサイザを用いた周波数コンバータを得ようとするものである。
【００１４】
【課題を解決するための手段】
この発明の周波数シンセサイザは、高周波発振器、
前記高周波発振器の出力信号と外部から入力される高周波信号とを比較する位相比較器を含み所定の周波数の信号を出力する位相同期ループ、
互いに異なる周波数の信号を出力する複数の前記位相同期ループから出力された前記信号を混合し、その和周波数あるいは差周波数の信号を出力するミクサ、
増幅動作レベルがＡ級動作に設定され前記ミクサの出力信号を増幅する増幅素子、および
【００１５】
前記増幅素子の前記出力信号の周波数をカウントするとともに、動作電源電圧を調整する調整抵抗器を有し、前記増幅素子の出力信号レベルに合わせて動作電源電圧を調整した周波数カウンタを備えたものである。
【００１６】
また、前記周波数カウンタの後段に接続され、この周波数カウンタの出力信号レベルに合わせて電源電圧を低く設定した位相周波数比較器を備えたものである。
【００１７】
この発明による周波数コンバータは、上記の周波数シンセサイザを局部発振器として備えたものである。
【００１８】
また、それぞれに局部発振回路を有する複数の周波数変換回路、
前記複数の周波数変換回路の少なくとも一つに設けられた複数の周波数シンセサイザとこの複数の周波数シンセサイザのいずれか一つの出力信号を選択する高周波スイッチ、
前記複数の周波数変換回路でそれぞれ用いる複数の周波数間のスプリアスの発生状況に応じて前記高周波スイッチを切り替えるスイッチ切り替え回路を備えたものである。
【００１９】
また、それぞれに局部発振回路を有する複数の周波数変換回路、
前記複数の局部発振回路の少なくとも一つは出力周波数を連続的に変更可能な可変周波数シンセサイザを備え、
前記複数の周波数変換回路でそれぞれ用いる複数の周波数間のスプリアスの発生状況に応じて前記可変周波数シンセサイザの前記出力周波数を変更するようにしたものである。
【００２０】
【発明の実施の形態】
実施の形態１．
以下、この発明の実施の形態１による周波数シンセサイザを図について説明する。図１は本発明にかかる周波数シンセサイザ（第１のＰＬＬループ）の内部のレベル変換回路の部分を示す構成図であり、従来の図８に示すものと同一の部分あるいは相当の部分には同一の符号を付し、詳細な説明は省略する。
【００２１】
図１に於いて５はミクサ、６は第２の周波数カウンタ（ＦＤ２）、７は位相周波数比較器（ＰＤ１）である。７１はこの発明によるレベル変換回路であり以下のものを含んでいる。即ち、２６、２７、２９、３１はトランジスタのバイアス抵抗、３２はキャパシタ、２８はトランジスタ、３０は電源電圧端子、３４、３５は周波数カウンタ６へ入力する電圧を、電源３０の中点とするよう設定するための抵抗である。
また、図示を省略した部分のＰＬＬシンセサイザ回路の構成は従来の図７に示すものと同じである。トランジスタ２８は、その増幅動作レベルがＡ級動作（Ａ級動作の説明は後述する。）となるようにバイアスされており、ミクサ５からの入力もバイアス抵抗２６、２７により適度なレベルに調節されているので、その出力波形は理想的には図２に示す正弦波又は正弦波に近い波形となる。従って、ミクサ５からの出力波は、その振幅のみが増幅され、図８に示すＣ-ＭＯＳインバータ回路を用いた従来の構成の場合（トランジスタの飽和レベルの範囲でオン−オフ動作して図９に示すパルス波形に近い波形を出力する）のような高調波を多く含む波形の発生は抑制されるため、基準信号周波数や、他のＰＬＬループに用いられている周波数と、ここで増幅されたミクサ５の出力信号が近接することに起因するスプリアスの発生は抑制される。トランジスタ２８はこの発明に言う増幅素子である。
【００２２】
前述した増幅回路の動作レベルのＡ級動作、従来例で説明したＢ級、Ｃ級動作について、電気工学ハンドブック（社団法人電気学会編初版昭和６３年）の基礎部門・電子回路編に説明されているものを引用して詳細に説明する。図１１は上記ハンドブックに記載の説明図で、図（ａ）は説明の回路図、図（ｂ）は（ａ）の回路の動作特性線（ＩＢ−ＩＣ特性）である。図１１（ａ）図に示すトランジスタの増幅回路において、ベース回路のＩＢの動作バイアス点、即ち無信号時の動作レベル点が、図１１（ｂ）図のＩＢ−ＩＣ特性線に示すＡ点（特性線の直線部分の略中央）にあり、しかも信号の振幅範囲が図の範囲（特性線の直線の範囲内）にある動作をＡ級動作、Ｂ点（ＩＣが丁度ゼロとなるＩＢのレベル）にあり、信号の振幅範囲が図のように特性線の直線部をはみ出すものをＢ級動作、Ｃ点（ＩＣが丁度ゼロとなるＩＢのレベルよりもさらに低いレベル）にあり、信号の振幅範囲はＢ級と同じものをＣ級動作という。
Ａ級動作は増幅器としての効率は低いが出力波形歪みが少なく、高調波の発生が少ない。Ｂ〜Ｃ級動作と移るに従い効率は向上するが、出力波形は入力信号波形にかかわらず矩形波に整形されて歪みが増え高調波が増える。
【００２３】
実施の形態２．
実施の形態１の図１に示したレベル変換回路においては、トランジスタ２８の動作をＡ級動作とすることだけを目ざしたものであり、Ａ級動作の出力信号振幅は電源電圧の範囲内で必然的に小さくなるため、トランジスタの電流増幅度hfeあるいは、トランジスタのコレクタ-エミッタ間の耐圧によっては、トランジスタ２８の出力レベルがＣ-ＭＯＳの周波数カウンタ６あるいは、フリップフロップを用いた位相周波数比較器７の適正な入力レベルに一致しない場合があった。
このような点を改良した本発明の実施の形態２にかかる周波数シンセサイザに用いるレベル変換回路の他の構成例を図３に示す。図３において３６はＣ-ＭＯＳの周波数カウンタ６の電源電圧をドロップさせるための抵抗器、３７はＣ-ＭＯＳのフリップフロップなどを用いた位相周波数比較器７の電源電圧をドロップさせるための抵抗器である。抵抗器３６、３７はこの発明に言う調整抵抗器である。
【００２４】
図３に示す構成では、抵抗器３６及び抵抗器３７により、Ｃ−ＭＯＳの周波数カウンタ６および位相周波数比較器７の電源電圧をあらかじめ低下させておくことで、トランジスタ２８の出力電圧が小さい場合でも、Ｃ−ＭＯＳ・ＩＣ６、７の入力の電圧を適正な範囲内とするようにするものである。
理解を助けるため図４に一般的なＣ−ＭＯＳ ＩＣの入力の閾値電圧と、出力電圧の範囲との関係を示す。図４に示すように、一般にＣ−ＭＯＳ・ＩＣにおいては入力レベルは、電源電圧の１/３以下（Ｖｉｌ）をLレベル、２/３以上（Ｖｉｈ）をＨレベルとして動作するが、出力電圧はほぼＧＮＤ電位（Ｖｏｌ）から電源電圧（Ｖｏｈ）までの振幅が得られる。従って、図３に示した回路においても、Ａ級動作するトランジスタ増幅器の出力が入力される周波数カウンタ６では、その動作電圧範囲を十分低下させるため、電源３０に挿入した抵抗３６を大きくし電圧を十分ドロップさせる必要がある。一方、周波数カウンタ回路６の出力が入力される位相周波数比較器７の電源端子に設ける抵抗３７は、周波数カウンタ６の電源の抵抗３６よりも小さい抵抗で良い。即ち、周波数カウンタ回路６をレベル変換回路として利用しているのである。
【００２５】
図３、図４のものにおいては、このようなレベル変換回路７１を第１のＰＬＬのミクサ５の出力に用いるという構成として説明しているが、これに限らず、他のＰＬＬ回路や、出力電力の小さいマイクロ波帯の周波数カウンタなどの出力電力増幅用としてＡ級動作に設定したトランジスタ増幅器を用い、Ｃ−ＭＯＳなどの論理ＩＣにインタフェースさせる場合においても、同様の回路を用いて低スプリアス化の効果が得られることはいうまでもない。
【００２６】
実施の形態３．
本発明の実施の形態３の周波数コンバータの構成を図５に示す。図５において、４８は２つの高周波信号のいずれかを選択する高周波スイッチ、４９は第１の局部発振器４１の第１の周波数の信号を発振する第１発振器、５０は第一の局部発振器４１の他の周波数の信号を受け持つ第２発振器である。
図５に示す周波数コンバータでは、第１の局部発振器４１として用いている多重ループ方式の周波数シンセサイザの、スプリアスが発生しそうなチャンネルを使用する必要が生じた場合に、第１の局部発振器４１の信号をマイクロ波帯のスイッチ４８で切り替えることにより、第１の局部発振器４１の出力周波数の信号をスプリアスの発生しないチャネルの信号にシフトすることが可能となる。また、第２の局部発振器４５で、複数のスプリアス発生チャネルがある場合でも、第１の局部発振器４１の信号の周波数の切り替えを、その都度行い、スプリアス発生チャネル以外にシフトさせてやれば、周波数コンバータ全体としてはスプリアスは生じない。なお、スイッチ４８はこの発明に言う高周波スイッチであり図示しないスイッチ切り替え回路により制御される。
【００２７】
実施の形態４．
本発明の実施の形態４による周波数シンセサイザの構成例を図６に示す。５１は第１の局部発振器として例えば図１の回路を用いた周波数シンセサイザを用いたものである。周波数シンセサイザを用いたことにより、より自由に第１の局部発振器５１の周波数シフト量を選択することができる。これにより、第１の局部発振器５１の多数のチャネルでスプリアスが発生した場合でも、スプリアスの発生しないチャネルにまでシフトさせることができ、より低スプリアス化が容易となる。
【００２８】
【発明の効果】
以上のように、この発明によれば、シンセサイザ内部のレベル変換回路（増幅回路）の動作レベルをＡ級動作とし、更に
【００２９】
前記Ａ級動作するレベル変換回路の出力信号レベルに合わせて、この信号が入力される周波数カウンタの電源電圧を調整できるようにしたので、スプリアスを低減することができる。
【００３０】
また、前記周波数カウンタの出力信号レベルに合わせて、この信号が入力される位相周波数比較器の電源電圧を調整できるようにしたので、さらにスプリアスを低減することができる。
【００３１】
この発明による周波数コンバータは、前記の周波数シンセサイザを局部発振回路として用いたので、スプリアスを減らすことができる。
【００３２】
また、複数の周波数変換回路を有する周波数コンバータであって、その局部発振回路の少なくとも一つは、複数の周波数シンセサイザとこの複数の周波数シンセサイザの出力信号の内のどれか一つを選択する切り替えスイッチとを備え、スプリアスが生じたとき、スプリアスの発生しない周波数の信号を選択することができるので、スプリアスによる通信妨害の影響を低減することができる。
【００３３】
また、複数の周波数変換回路を有する周波数コンバータであって、その局部発振回路の少なくとも一つは、出力信号の周波数を連続変化可能な周波数シンセサイザを備え、スプリアスが生じたとき、選択して信号の周波数をスプリアスの発生しない周波数とすることができるので、スプリアスによる通信妨害の影響を低減することができる。
【図面の簡単な説明】
【図１】この発明の実施の形態１による周波数シンセサイザの部分回路を示す回路構成図である。
【図２】図１のレベル変換回路の出力波形の説明図である。
【図３】この発明の実施の形態２による周波数シンセサイザの部分回路を示す回路構成図である。
【図４】図１、図３のＣ−ＭＯＳ論理ＩＣの入出力レベルを説明するための動作説明図である。
【図５】この発明の実施の形態３による周波数コンバータの構成を示す構成図である。
【図６】この発明の実施の形態４による周波数コンバータの構成を示す構成図である。
【図７】従来の多重ループ方式の周波数シンセサイザの構成を示す構成図である。
【図８】図７の周波数シンセサイザに使用されている従来のレベル変換回路を示す構成図である。
【図９】図８のレベル変換回路の出力波形の説明図である。
【図１０】従来の周波数コンバータの構成を示す構成図である。
【図１１】増幅回路の動作レベルを説明する説明図である。
【符号の説明】
１  第１の位相同期ループ、    ２  第１の電圧制御発振器、    ３  第１の電力分配器、    ４       第１の周波数カウンタ、    ５  ミクサ、           ６  第二の周波数カウンタ、
７   第１の位相周波数比較器、    ８  第１のループフィルタ、
９   第二の位相同期ループ、    １０  第二の電圧制御発振器、
１１  第二の電力分配器、    １２  可変分周器、
１３  第二の位相周波数比較器、    １４  基準周波数カウンタ、
１５  第二のループフィルタ、    １６  第三の周波数カウンタ、
１７  第三の位相同期ループ、    １８  第三の電圧制御発振器、
１９  第三の電力分配器、    ２０  第四の周波数カウンタ、
２１  第三の位相周波数比較器、    ２２  第三のループフィルタ、
２３、２４  抵抗器、    ２５     インバータ、
２６、２７  抵抗器、    ２８     トランジスタ、
３０  電源端子、    ３２、３３  キャパシタ、
３８  第１のＩＦ増幅器、    ３９  ローパスフィルタ、
４０  第１のミクサ、    ４１  第１の局部発振器、
４２  第１のバンドパスフィルタ、    ４３  第二のＩＦ増幅器、
４４  第二のミクサ、    ４５  第二の局部発振器、
４６  第二のバンドパスフィルタ、    ４７  ＲＦ帯増幅器、
４８  高周波スイッチ、    ４９、５０  局部発振器、
５１  周波数シンセサイザで構成された局部発振器、
７０、７１  レベル変換回路。
【図１】
0003577295.tif 000003
【図２】
0003577295.tif 000004
【図３】
0003577295.tif 000005
【図４】
0003577295.tif 000006
【図５】
0003577295.tif 000007
【図６】
0003577295.tif 000008
【図７】
0003577295.tif 000009
【図８】
0003577295.tif 000010
【図９】
0003577295.tif 000011
【図１０】
0003577295.tif 000012
【図１１】
0003577295.tif 000013